(57)【要約】【課題】電気泳動表示装置の駆動方法を提供する。【解決手段】本発明は第１電極と、第２電極と、第１電極と第２電極との間に備えられた複数の画素領域に配置された電気泳動粒子と、を含む電気泳動表示装置の駆動方法に関するものであり、複数の画素領域に配置された電気泳動粒子に初期駆動電圧を所定時間印加し、初期駆動電圧印加後、複数の画素領域のうちの少なくとも一部の画素領域に配置された電気泳動粒子に初期駆動電圧と極性が反対である第１画像表示電圧を所定時間印加し、そして第１画像表示電圧印加後、複数の画素領域のうちの少なくとも一部の画素領域に配置された電気泳動粒子に初期駆動電圧と極性が反対である第１同一階調表示電圧を所定時間印加することを含む。これにより、残像防止のための画素電極のリフレッシュ過程で画像が柔らかに変化して電気泳動表示装置の表示性能を向上することができる。【選択図】図５
2008146065.tif 000002
【特許請求の範囲】
【請求項１】
第１電極と、第２電極と、前記第１電極と前記第２電極との間に備えられた複数の画素領域に配置された電気泳動粒子と、を含む電気泳動表示装置の駆動方法であって、
複数の前記画素領域に配置された前記電気泳動粒子に初期駆動電圧を所定時間印加し、
前記初期駆動電圧印加後、複数の前記画素領域のうちの少なくとも一部の画素領域に配置された前記電気泳動粒子に前記初期駆動電圧と極性が反対である第１画像表示電圧を所定時間印加し、
前記第１画像表示電圧印加後、複数の前記画素領域のうちの少なくとも一部の画素領域に配置された前記電気泳動粒子に前記初期駆動電圧と極性が反対である第１同一階調表示電圧を所定時間印加すること、
を含むことを特徴とする電気泳動表示装置の駆動方法。
【請求項２】
前記初期駆動電圧を当該印加時間について積分した値は、前記第１画像表示電圧及び前記第１同一階調表示電圧をそれぞれ当該印加時間について積分した値の合計と実質的に同一であることを特徴とする請求項１に記載の電気泳動表示装置の駆動方法。
【請求項３】
前記初期駆動電圧、前記第１画像表示電圧及び前記第１同一階調表示電圧の大きさは実質的に同一であることを特徴とする請求項１に記載の電気泳動表示装置の駆動方法。
【請求項４】
前記複数の画素領域は、
前記初期駆動電圧の印加によってそれぞれ第１色を表示し、
前記第１画像表示電圧の印加によってそれぞれ少なくとも第１色乃至第４色のうちの何れか一つの色を表示し、
前記第１同一階調表示電圧の印加によってそれぞれ第４色を表示することを特徴とする請求項１に記載の電気泳動表示装置の駆動方法。
【請求項５】
前記第１色は白色であり、前記第４色は黒色であり、
前記第１色から前記第４色に行くほど明るさが次第に暗くなることを特徴とする請求項４に記載の電気泳動表示装置の駆動方法。
【請求項６】
前記初期駆動電圧が印加される所定時間は第１時間であり、
前記第１画像表示電圧が印加される所定時間は少なくとも第２時間乃至第４時間のうちの何れか一つの時間であり、
前記第１同一階調表示電圧が印加される所定時間は少なくとも第５時間乃至第７時間のうちの何れか一つの時間であることを特徴とする請求項４に記載の電気泳動表示装置の駆動方法。
【請求項７】
前記第４時間の長さは、前記第１時間の長さと実質的に同一であることを特徴とする請求項６に記載の電気泳動表示装置の駆動方法。
【請求項８】
前記第２時間の長さは前記第４時間の長さの１/３倍であり、
前記第３時間の長さは前記第４時間の長さの２/３倍であることを特徴とする請求項７に記載の電気泳動表示装置の駆動方法。
【請求項９】
前記第５時間の長さは前記第１時間の長さと実質的に同一であることを特徴とする請求項６に記載の電気泳動表示装置の駆動方法。
【請求項１０】
前記第６時間の長さは前記第５時間の長さの２/３倍であり、
前記第７時間の長さは前記第５時間の長さの１/３倍であることを特徴とする請求項９に記載の電気泳動表示装置の駆動方法。
【請求項１１】
複数の前記画素領域がそれぞれ前記第４色を表示するための前記第１同一階調表示電圧の印加時間が前記第６時間である場合、前記第１同一階調表示電圧の印加は第８時間経過後行われ、前記第７時間である場合、前記第１同一階調表示電圧の印加は第９時間経過後行われることを特徴とする請求項６に記載の電気泳動表示装置の駆動方法。
【請求項１２】
前記第８時間の長さは前記第５時間の長さの１/３倍であり、
前記第９時間の長さは前記第５時間の長さの２/３倍であることを特徴とする請求項１１に記載の電気泳動表示装置の駆動方法。
【請求項１３】
複数の前記画素領域のうちの前記第１色を表示する前記画素領域は前記第８時間経過後前記第２色を表示することを特徴とする請求項１１に記載の電気泳動表示装置の駆動方法。
【請求項１４】
複数の前記画素領域のうちの前記第２色を表示する前記画素領域は前記第９時間経過後前記第３色を表示することを特徴とする請求項１３に記載の電気泳動表示装置の駆動方法。
【請求項１５】
前記第１同一階調表示電圧印加後、複数の前記画素領域のうちの少なくとも一部の画素領域に配置された前記電気泳動粒子に前記初期駆動電圧と極性が同じである第２画像表示電圧を所定時間印加し、
前記第２画像表示電圧印加後、複数の前記画素領域のうちの少なくとも一部の画素領域に配置された前記電気泳動粒子に前記初期駆動電圧と極性が同じである第２同一階調表示電圧を所定時間印加し、
前記第２同一階調表示電圧印加後、複数の前記画素領域に配置された前記電気泳動粒子に前記初期駆動電圧と極性が反対である補償電圧を所定時間印加することを更に含むことを特徴とする請求項１に記載の電気泳動表示装置の駆動方法。
【請求項１６】
前記第２画像表示電圧及び前記第２同一階調表示電圧をそれぞれ当該印加時間について積分した値の合計は前記補償電圧を当該印加時間について積分した値と実質的に同一であることを特徴とする請求項１５に記載の電気泳動表示装置の駆動方法。
【請求項１７】
前記第２画像表示電圧、前記第２同一階調表示電圧及び前記補償電圧の大きさはそれぞれ前記初期駆動電圧の大きさと実質的に同一であることを特徴とする請求項１５に記載の電気泳動表示装置の駆動方法。
【請求項１８】
前記複数の画素領域は、
前記第２画像表示電圧の印加によってそれぞれ少なくとも第１色乃至第４色のうちの何れか一つの色を表示して、
前記第２同一階調表示電圧の印加によってそれぞれ第１色を表示して、
前記補償電圧の印加によってそれぞれ第４色を表示することを特徴とする請求項１５に記載の電気泳動表示装置の駆動方法。
【請求項１９】
前記第２画像表示電圧が印加される所定時間は少なくとも第１０時間乃至第１２時間のうちの何れか一つの時間であり、
前記第２同一階調表示電圧が印加される所定時間は少なくとも第１３時間乃至第１５時間のうちの何れか一つの時間であり、
前記補償電圧が印加される所定時間は第１８時間であることを特徴とする請求項１８に記載の電気泳動表示装置の駆動方法。
【請求項２０】
前記第１０時間の長さは前記第１時間の長さと実質的に同一であることを特徴とする請求項１９に記載の電気泳動表示装置の駆動方法。
【請求項２１】
前記第１１時間の長さは前記第１０時間の長さの２/３倍であり、
前記第１２時間の長さは前記第１０時間の長さの１/３倍であることを特徴とする請求項２０に記載の電気泳動表示装置の駆動方法。
【請求項２２】
前記第１５時間の長さ及び前記第１８時間の長さはそれぞれ前記第１０時間の長さと実質的に同一であることを特徴とする請求項２０に記載の電気泳動表示装置の駆動方法。
【請求項２３】
前記第１３時間の長さは前記第１５時間の長さの１/３倍であり、
前記第１４時間の長さは前記第１５時間の長さの２/３倍であることを特徴とする請求項２２に記載の電気泳動表示装置の駆動方法。
【請求項２４】
複数の前記画素領域がそれぞれ前記第１色を表示するための前記第２同一階調表示電圧の印加時間が前記第１３時間である場合、前記第２同一階調表示電圧の印加は第１７時間経過後行われ、前記第１４時間である場合、前記第２同一階調表示電圧の印加は第１６時間経過後行われることを特徴とする請求項１９に記載の電気泳動表示装置の駆動方法。
【請求項２５】
前記第１６時間の長さは前記第１５時間の長さの１/３倍であり、
前記第１７時間の長さは前記第１５時間の長さの２/３倍であることを特徴とする請求項２４に記載の電気泳動表示装置の駆動方法。
【請求項２６】
複数の前記画素領域のうちの前記第４色を表示する前記画素領域は前記第１６時間経過後前記第３色を表示することを特徴とする請求項２４に記載の電気泳動表示装置の駆動方法。
【請求項２７】
複数の前記画素領域のうちの前記第３色を表示する前記画素領域は前記第１７時間経過後前記第２色を表示することを特徴とする請求項２６に記載の電気泳動表示装置の駆動方法。
【請求項２８】
第１電極、第２電極、前記第１電極と前記第２電極の間に備えられている複数の画素領域に配置された電気泳動粒子を含む電気泳動表示装置の駆動方法であって、
複数の前記画素領域のうちの少なくとも一部の画素領域に配置された前記電気泳動粒子に第１画像表示電圧を所定時間印加し、
前記第１画像表示電圧印加後、複数の前記画素領域のうちの少なくとも一部の画素領域に配置された前記電気泳動粒子に前記第１画像表示電圧と極性が同じである第１同一階調表示電圧を所定時間印加し、
前記第１同一階調表示電圧印加後、複数の前記画素領域のうちの少なくとも一部の画素領域に配置された前記電気泳動粒子に前記第１画像表示電圧と極性が反対である第２画像表示電圧を所定時間印加し、
前記第２画像表示電圧印加後、複数の前記画素領域のうちの少なくとも一部の画素領域に配置された前記電気泳動粒子に前記第１画像表示電圧と極性が反対である第２同一階調表示電圧を所定時間印加すること、
を含むことを特徴とする電気泳動表示装置の駆動方法。
【請求項２９】
前記第１画像表示電圧及び前記第１同一階調表示電圧をそれぞれ当該印加時間について積分した値の合計は前記第２画像表示電圧及び前記第２同一階調表示電圧をそれぞれ当該印加時間について積分した値の合計と実質的に同一であることを特徴とする請求項２８に記載の電気泳動表示装置の駆動方法。
【請求項３０】
前記第１画像表示電圧、前記第１同一階調表示電圧、前記第２画像表示電圧及び前記第２同一階調表示電圧の大きさは実質的に同一であることを特徴とする請求項２８に記載の電気泳動表示装置の駆動方法。
【発明の詳細な説明】
【技術分野】
【０００１】
本発明は電気泳動表示装置の駆動方法に関する。
【背景技術】
【０００２】
最近、既存のブラウン管（ＣＲＴ）を代替して液晶表示装置、有機電界発光表示装置及び電気泳動表示装置などのフラットパネル表示装置が多く使用されている。
【０００３】
この中で、電気泳動表示装置は、薄膜トランジスタに接続された画素電極を含む薄膜トランジスタ表示板と、共通電極を含む共通電極表示板と、正又は負の電荷を帯びて画素領域にそれぞれ位置し、画素電極と共通電極との間を移動する電気泳動粒子と、を含んでいる。
【０００４】
電気泳動表示装置の画像表示方法によれば、まず駆動部が共通電極に基準電圧である共通電圧を印加し、各画素電極に共通電圧より高い又は低いデータ電圧を印加する。共通電圧及びデータ電圧の印加によって各画素領域に位置する電気泳動粒子に共通電圧とデータ電圧との差に相当する正又は負の駆動電圧が印加される。この駆動電圧によって正又は負の電荷を帯びる電気泳動粒子は、画素電極或いは共通電極に向かって移動する。このとき、どれだけの時間にわたって正又は負の駆動電圧が電気泳動粒子に印加されるかによって、画素電極と共通電極との間における電気泳動粒子の移動の程度が変わる。
【０００５】
各画素領域別に互いに異なる期間、正又は負の駆動電圧を各画素領域に印加すると、画素電極と共通電極との間で電気泳動粒子が動き、各画素領域ごとに異なる状態で配列される。電気泳動粒子を画素領域ごとに異なる配列状態にすれば、各配列状態によって電気泳動粒子による外部から入射する光の吸収量又は反射量が異なる。これにより、電気泳動表示装置は白黒階調や多様なカラー色相を表示する。
【０００６】
画像を表示するために、電気泳動表示粒子に駆動電圧を繰り返し印加すると、各画素電極に電荷が蓄積され、この蓄積された電荷は残像の原因になる。残像の発生防止のためには、画素電極に蓄積される電荷を所定期間ごとに除去して画素電極をリフレッシュしなければならない。このため、従来の電気泳動表示装置は、各画素領域ごとに電気泳動粒子に所定期間内に駆動電圧を印加して実際画像を表示した後、同一の期間内に駆動電圧と反対極性を帯びる反転駆動電圧を印加して実際画像と反転画像とを交互に表示することにより、各画素電極をリフレッシュする駆動方法を使用している。
【０００７】
しかしながら、実際画像の合間に表示される反転画像は視聴者に不快感を与え、これにより電気泳動表示装置の表示性能が低下する問題点がある。
【発明の開示】
【発明が解決しようとする課題】
【０００８】
本発明の課題は、残像の発生を防止するための画素電極のリフレッシュ過程中に、反転画像を表示せずに電気泳動表示装置の表示性能を向上させる電気泳動表示装置の駆動方法を提供することにある。
【課題を解決するための手段】
【０００９】
本発明の一実施形態に係る電気泳動表示装置の駆動方法は、複数の第１電極と、複数の第２電極と、第１電極と第２電極との間に備えられている複数の画素領域に位置する電気泳動粒子と、を含む電気泳動表示装置の駆動方法であって、複数の画素領域に配置された電気泳動粒子に初期駆動電圧を所定時間印加し、初期駆動電圧印加後、複数の画素領域のうちの一部の画素領域に配置された電気泳動粒子に初期駆動電圧と極性が反対である第１画像表示電圧を所定時間印加し、第１画像表示電圧印加後、複数の画素領域のうちの一部の画素領域に配置された電気泳動粒子に初期駆動電圧と極性が反対である第１一定階調表示電圧を所定時間印加すること、を含む。
【００１０】
初期駆動電圧をその印加時間について積分した値は、第１画像表示電圧及び第１一定階調表示電圧をそれぞれの印加時間について積分した値とほぼ同じであってもよい。
【００１１】
初期駆動電圧、第１画像表示電圧及び第１一定階調表示電圧の大きさはほぼ同じであってもよい。
【００１２】
複数の画素領域は、初期駆動電圧の印加によってそれぞれ第１色の画像（ｃｏｌｏｒ  ｉｍａｇｅ）を表示してもよく、第１画像表示電圧の印加によってそれぞれ第１色の画像乃至第４色の画像のうちの何れか一つの色を表示してもよく、第１一定階調表示電圧の印加によってそれぞれ第４色の画像を表示してもよい。
【００１３】
第１色の画像は白色であってもよく、第４色の画像は黒色であってもよく、第１色の画像から第４色の画像になるほど明るさが次第に暗くなってもよい。
【００１４】
初期駆動電圧が印加される所定時間は第１時間であってもよく、第１画像表示電圧が印加される所定時間は第２時間乃至第４時間のうちの何れか一つの時間であってもよく、第１一定階調表示電圧が印加される所定時間は第５時間乃至第７時間のうちの何れか一つの時間であってもよい。
【００１５】
第４時間の長さは第１時間の長さとほぼ同じであってもよい。
【００１６】
第２時間の長さは第４時間の長さの１/３倍であってもよく、第３時間の長さは第４時間の長さの２/３倍であってもよい。
【００１７】
第５時間の長さは第１時間の長さとほぼ同じであってもよい。
【００１８】
第６時間の長さは第５時間の長さの２/３倍であってもよく、第７時間の長さは第５時間の長さの１/３倍であってもよい。
【００１９】
複数の画素領域がそれぞれ第４色の画像を表示するための第１一定階調表示電圧の印加時間が第６時間である場合、第１一定階調表示電圧は第８時間経過後に印加されてもよく、複数の画素領域がそれぞれ第４色の画像を表示するための第１一定階調表示電圧の印加時間が第７時間である場合、第１一定階調表示電圧は第９時間経過後に印加されてもよい。
【００２０】
第８時間の長さは第５時間の長さの１/３倍であってもよく、第９時間の長さは第５時間の長さの２/３倍であってもよい。
【００２１】
複数の画素領域のうち、第１色の画像を表示する画素領域は、第８時間経過後に第２色の画像を表示してもよい。
【００２２】
複数の画素領域のうち、第２色の画像を表示する画素領域は、第９時間経過後に第３色の画像を表示してもよい。
【００２３】
前記電気泳動表示装置の駆動方法は、第１一定階調表示電圧印加後、複数の画素領域のうちの一部の画素領域に配置された電気泳動粒子に初期駆動電圧と極性が同じである第２画像表示電圧を所定時間印加し、第２画像表示電圧印加後、複数の画素領域のうちの一部の画素領域に配置された電気泳動粒子に初期駆動電圧と極性が同じである第２一定階調表示電圧を所定時間印加し、第２一定階調表示電圧印加後、複数の画素領域に配置された電気泳動粒子に初期駆動電圧と極性が反対である補償電圧を所定時間印加すること、を更に含んでもよい。
【００２４】
第２画像表示電圧及び第２一定階調表示電圧をそれぞれの印加時間について積分した値の合計は、補償電圧をその印加時間について積分した値とほぼ同一であってもよい。
【００２５】
第２画像表示電圧、第２一定階調表示電圧及び補償電圧の大きさは、それぞれ初期駆動電圧の大きさとほぼ同一であってもよい。
【００２６】
複数の画素領域は、第２画像表示電圧の印加によってそれぞれ第１色の画像乃至第４色の画像のうちの何れか一つの色の画像を表示してもよく、第２一定階調表示電圧の印加によってそれぞれ第１色の画像を表示してもよく、補償電圧の印加によってそれぞれ第４色の画像を表示してもよい。
【００２７】
第２画像表示電圧が印加される所定時間は第１０時間乃至第１２時間のうちの何れか一つの時間であってもよく、第２一定階調表示電圧が印加される所定時間は第１３時間乃至第１５時間のうちの何れか一つの時間であってもよく、補償電圧が印加される所定時間は第１８時間であってもよい。
【００２８】
第１０時間の長さは第１時間の長さとほぼ同一であってもよい。
【００２９】
第１１時間の長さは第１０時間の長さの２/３倍であってもよく、第１２時間の長さは第１０時間の長さの１/３倍であってもよい。
【００３０】
第１５時間の長さ及び第１８時間の長さは、それぞれ第１０時間の長さとほぼ同一であってもよい。
【００３１】
第１３時間の長さは第１５時間の長さの１/３倍であってもよく、第１４時間の長さは第１５時間の長さの２/３倍であってもよい。
【００３２】
複数の画素領域がそれぞれ第１色の画像を表示するための第２一定階調表示電圧の印加時間が第１３時間である場合、第２一定階調表示電圧は第１７時間経過後に印加されてもよく、複数の画素領域がそれぞれ第１色の画像を表示するための第２一定階調表示電圧の印加時間が第１４時間である場合、第２一定階調表示電圧は第１６時間経過後に印加されてもよい。
【００３３】
第１６時間の長さは第１５時間の長さの１/３倍であってもよく、第１７時間の長さは第１５時間の長さの２/３倍であってもよい。
【００３４】
複数の画素領域のうち、第４色の画像を表示する画素領域は、第１６時間経過後に第３色の画像を表示してもよい。
【００３５】
複数の画素領域のうち、第３色の画像を表示する画素領域は、第１７時間経過後に第２色の画像を表示してもよい。
【００３６】
また、本発明の一実施形態に係る電気泳動表示装置の駆動方法は、複数の第１電極と、複数の第２電極と、第１電極と第２電極との間に備えられている複数の画素領域に配置された電気泳動粒子と、を含む電気泳動表示装置の駆動方法であって、複数の画素領域のうちの一部の画素領域に配置された電気泳動粒子に第１画像表示電圧を所定時間印加し、第１画像表示電圧印加後、複数の画素領域のうちの一部の画素領域に配置された電気泳動粒子に第１画像表示電圧と極性が同じである第１一定階調表示電圧を所定時間印加し、第１一定階調表示電圧印加後、複数の画素領域のうちの一部の画素領域に配置された電気泳動粒子に第１画像表示電圧と極性が反対である第２画像表示電圧を所定時間印加し、第２画像表示電圧印加後、複数の画素領域のうちの一部の画素領域に配置された電気泳動粒子に第１画像表示電圧と極性が反対である第２一定階調表示電圧を所定時間印加すること、を含む。
【００３７】
第１画像表示電圧及び第１一定階調表示電圧をそれぞれの印加時間について積分した値の合計は、第２画像表示電圧及び第２一定階調表示電圧をそれぞれの印加時間について積分した値の合計とほぼ同一であってもよい。
【００３８】
第１画像表示電圧、第１一定階調表示電圧、第２画像表示電圧及び第２一定階調表示電圧の大きさはほぼ同一であってもよい。
【発明の効果】
【００３９】
本発明による電気泳動表示装置の駆動方法によれば、残像を防止するための画素電極のリフレッシュ過程で、画像が柔らかに変化して電気泳動表示装置の表示性能を向上させることができる。
【発明を実施するための最良の形態】
【００４０】
以下、図面を参照して、本発明の好ましい実施形態について当業者が容易に実施することができるように詳細に説明する。しかしながら、本発明は多様に異なる形態で実現でき、ここで説明する実施形態に限定されるものではない。
【００４１】
図面では、各種の層又は領域を明確に表現するために厚さを拡大して示した。明細書全体を通じて類似な部分については同一な参照符号で示すものとする。層、膜、領域、板などの部分が他の部分の「上」にあるとするとき、これは他の部分の「直ぐ上」にある場合だけでなく、その中間に他の部分がある場合も含む。逆に、ある部分が他の部分の「直ぐ上」にあるとするときには中間に他の部分がないことを意味する。
【００４２】
以下、図面を参照して本発明のいろいろな実施形態による電気泳動表示装置の駆動方法について説明する。
【００４３】
まず、本発明のいろいろな実施形態による電気泳動表示装置の駆動方法を説明する前に電気泳動表示装置について図１乃至図２を参照して詳細に説明する。
【００４４】
図１は本発明の一実施形態による電気泳動表示装置の駆動方法によって駆動される電気泳動表示装置の構造を示した配置図であり、図２は図１の電気泳動表示装置をＩＩ−ＩＩ線に沿って切断した断面図である。
【００４５】
電気泳動表示装置は、薄膜トランジスタ表示板１００と、これと対向している共通電極表示板２００と、両表示板１００、２００の間の各画素領域（Ａ）にそれぞれ位置する電気泳動部材３００と、を含む。
【００４６】
まず、薄膜トランジスタ表示板１００について説明する。図１乃至図２に示すように、透明なガラスなどで作られた絶縁基板１１０上にゲート信号を伝達する複数のゲート線１２１が形成されている。ゲート線１２１は横方向にのびており、各ゲート線１２１は、複数のゲート電極１２４及び他の層や外部回路との接続のための広い端部１２９を含む。
【００４７】
ゲート線１２１は、アルミニウムやアルミニウム合金などアルミニウム系の金属、銀や銀合金など銀系の金属、銅や銅合金など銅系の金属、モリブデンやモリブデン合金などモリブデン系の金属、クロム、チタン、タンタルなどで作られることが好ましい。ゲート線１２１は、物理的性質が異なる二つの導電膜、つまり、下部膜（図示せず）とその上に配置された上部膜（図示せず）を含んでもよい。上部膜は、ゲート線１２１の信号遅延や電圧降下を減らすことができるように低抵抗の金属、例えばアルミニウム（Ａｌ）やアルミニウム合金などアルミニウム系の金属で作られてもよい。これとは異なって、下部膜は、ＩＴＯ（酸化インジウム錫）及びＩＺＯ（酸化インジウム亜鉛）といった他の物質との接触特性や物理的特性及び化学的特性に優れた物質、例えばモリブデン（Ｍｏ）やモリブデン合金といったモリブデン系金属、クロム（Ｃｒ）などで作られてもよい。下部膜と上部膜との組み合わせの例としては、下部膜としてクロム膜、上部膜としてアルミニウム−ネオジム（Ｎｄ）合金膜を挙げることができる。
【００４８】
ゲート線１２１は、単一膜構造を有してもよく、三層以上の構造を有してもよい。
また、ゲート線１２１は、前述した物質以外の様々な金属又は導電体から形成されてもよい。
【００４９】
ゲート線１２１上には窒化シリコン（ＳｉＮｘ）または酸化シリコン（ＳｉＯｘ）などで作られたゲート絶縁膜１４０が形成されている。
【００５０】
ゲート絶縁膜１４０上部には水素化アモルファスシリコン（ａ−Ｓｉ）またはポリシリコンなどで作られた複数の線状半導体層１５１が形成されている。線状半導体層１５１は縦方向に延びており、ゲート電極１２４に向かって延びた複数の突出部１５４を含む。また、線状半導体層１５１は、ゲート線１２１とオーバーラップする地点付近で幅が広くなり、ゲート線１２１の広い面積を覆っている。
【００５１】
半導体層１５１の上部にはシリサイド又はｎ型不純物が高濃度でドープされたｎ＋水素化アモルファスシリコンなどの物質で作られた複数の線状及び島型オーミックコンタクト１６１、１６５が形成されている。線状オーミックコンタクト１６１は、複数の突出部１６３を有しており、突出部１６３と島型オーミックコンタクト１６５とは対をなして、半導体層１５１の突出部１５４上に位置する。
【００５２】
オーミックコンタクト１６３、１６５及びゲート絶縁膜１４０上には複数のデータ線１７１、複数のドレイン電極１７５が形成されている。
【００５３】
データ線１７１は、縦方向に延びてゲート線１２１と交差し、データ電圧を伝達する。各データ線１７１は、ゲート電極１２４に向かって延びＪ字形状に曲がった複数のソース電極１７３と他の層又は外部駆動回路に接続するための広い端部１７９とを含む。一対のソース電極１７３とドレイン電極１７５とは互いに離隔されており、ゲート電極１２４に対して互いに反対側に位置している。
【００５４】
データ線１７１及びドレイン電極１７５は、クロム、モリブデン、タンタル、チタン及びそれらの合金などの高融点金属で作られてもよく、高融点金属膜（図示せず）及び低抵抗膜（図示せず）を含む多層構造を有してもよい。好ましい多層構造の例として、下部膜にクロム（Ｃｒ）／モリブデン（Ｍｏ）（合金）膜、上部膜にアルミニウム（Ａｌ）（合金）膜を含む二層構造、及び下部膜にモリブデン（合金）膜、中間膜にアルミニウム（合金）膜、上部膜にモリブデン（合金）膜を含む三層構造が挙げられる。しかし、データ線１７１及びドレイン電極１７５は、他の様々な金属又は導電体で形成されてもよい。
【００５５】
ゲート電極１２４、ソース電極１７３及びドレイン電極１７５は、半導体層１５１の突出部１５４と共に薄膜トランジスタ（ＴＦＴ）を構成する。薄膜トランジスタのチャンネルはソース電極１７３とドレイン電極１７５との間の突出部１５４に形成されている。
【００５６】
オーミックコンタクト１６１、１６５は、その下の半導体層１５１とその上部のデータ線１７１、ソース電極１７３及びドレイン電極１７５との間に存在し、それらの接触抵抗を低くする役割を果たす。
【００５７】
線状半導体層１５１は、大部分でデータ線１７１よりも幅が狭いが、前述のとおりゲート線１２１の近くでは幅が広くなる。これにより、データ線の断線が防止される。一方、線状半導体層１５１は、ソース電極１７３とドレイン電極１７５との間といった位置に配置され、データ線１７１及びドレイン電極１７５によって覆われていないいくつかの露出部を含む。線状半導体層１５１は、ソース電極１７３とドレイン電極１７５との間を始めとしてデータ線１７１及びドレイン電極１７５で覆われない露出された部分を有している。線状半導体１５１の幅は、大部分の領域でデータ線１７１の幅より狭いが、前述したようにゲート線１２１とオーバーラップする部分では幅が広くなってゲート線１２１とデータ線１７１の間の絶縁を強化する。
【００５８】
データ線１７１、ドレイン電極１７５及び線状半導体層１５１の露出部上には平坦化特性に優れていて感光性を有する有機物質、プラズマ化学気相成長（ＰＥＣＶＤ）で形成されるａ−Ｓｉ:Ｃ:Ｏ、ａ−Ｓｉ:Ｏ:Ｆなどの低誘電率絶縁物質、又は無機物質である窒化シリコン（ＳｉＮｘ）などで作られた保護膜１８０が単一層又は複数層で形成される。保護膜１８０は、有機絶縁物の優れた絶縁特性を活かしながら、線状半導体１５１の露出部がダメージを受けるのを防ぐために、下部膜に無機絶縁膜及び上部膜に有機絶縁物を有してもよい。例えば、有機物質で形成する場合、ソース電極１７３とドレイン電極１７５との間の半導体層１５４が露出された部分と保護膜１８０の有機物質とが接触することを防止するために、有機膜の下部に窒化シリコン（ＳｉＮｘ）又は酸化シリコン（ＳｉＯ２）で形成された絶縁膜（図示せず）が追加的に形成されてもよい。
【００５９】
保護膜１８０にはゲート線１２１の端部１２９、ドレイン電極１７５及びデータ線１７１の端部１７９をそれぞれ露出させる複数のコンタクトホール１８１、１８５、１８２が形成されている。
【００６０】
保護膜１８０上にはＩＴＯ又はＩＺＯなどといった透明導電体又は銀やアルミニウム及びそれらの合金といった反射性の（ｒｅｆｌｒｅｃｔｉｖｅ）金属で作られた複数の画素電極１９０及び複数の接触補助部材８１、８２が形成されている。
【００６１】
画素電極１９０は、コンタクトホール１８５を通じてドレイン電極１７５と物理的・電気的に接続される。これにより、画素電極１９０は、ドレイン電極１７５からデータ電圧が印加され、各電気泳動部材３００にデータ電圧を印加する。
【００６２】
接触補助部材８１、８２は、コンタクトホール１８１、１８２を通じてゲート線１２１の端部１２９及びデータ線１７１の端部１７９とそれぞれ接続される。接触補助部材８１、８２は、ゲート線１２１の端部１２９及びデータ線１７１の端部１２９を保護し、ゲート線１２１及びデータ線１７１の端部と駆動集積回路のような外部装置との接着性を補完する。
【００６３】
保護膜１８０上部には、有機絶縁物質及び無機絶縁物質のうちの少なくとも何れか一つを含み、画素電極１９０間を区分する隔壁１９５が形成されている。隔壁１９５は、画素電極１９０の周縁周辺を取り囲み、各電気泳動部材３００が位置する複数の画素領域（Ａ）を定義する。
【００６４】
画素領域（Ａ）には隣接する４つの画素領域（Ａ１、Ａ２、Ａ３、Ａ４）が薄膜トランジスタ表示板１００の上下左右に繰り返されて備えられる。
【００６５】
次に、共通電極表示板２００について説明する。共通電極表示板２００は、薄膜トランジスタ表示板１００に対向して配置されており、透明絶縁基板２１０と絶縁基板２１０上に形成されている共通電極２７０を含む。
【００６６】
共通電極２７０は、ＩＴＯ又はＩＺＯで作られた透明電極であり、電気泳動部材３００の各電気泳動粒子３１４、３１６に共通電圧を印加する。共通電圧を印加する共通電極２７０は、データ電圧を印加する画素電極１９０と共に各電気泳動粒子３１４、３１６に駆動のための所定電圧を印加して、電気泳動粒子３１４、３１６の位置を変化させることによって、多様な白黒階調又はカラー色相の画像が表示される。
【００６７】
次に、各画素領域（Ａ）に位置する電気泳動部材３００について説明する。各電気泳動部材３００は、透明な分散媒３１２と分散媒３１２に不規則に分散されている第１電気泳動粒子３１４及び第２電気泳動粒子３１６とを含む。
【００６８】
第１電気泳動粒子３１４は、外部光を反射して外部に白色を表示するように白色を帯びた、負（−）電荷を有する帯電粒子であり、第２電気泳動粒子３１６は、外部光を吸収して外部に黒色を表示するように黒色を帯びた、正（＋）電荷を有する帯電粒子である。一方、本実施形態とは反対に、第１電気泳動粒子３１４及び第２電気泳動粒子３１６はそれぞれ正電荷及び負電荷を有してもよい。
【００６９】
以下、本発明の一実施形態による電気泳動表示装置が４種の互いに異なる階調を有する画像を表示する方法について図３及び図４を参照して説明する。図３は、４つの画素領域がそれぞれ画像を表示する方法を説明するために、図１の電気泳動表示装置をＩＩＩ−ＩＩＩ線に沿って切断した断面図であり、図４は、図３の電気泳動表示装置の４つの画素領域に表示される画像を示した平面図である。
【００７０】
共通電極２７０に印加される共通電圧と各画素電極１９０に印加されるデータ電圧との差である駆動電圧が、各画素領域（Ａ１、Ａ２、Ａ３、Ａ４）の電気泳動粒子３１４、３１６にどれだけの時間印加されるかによって、図３に示すように各画素領域（Ａ１、Ａ２、Ａ３、Ａ４）において、各画素電極１９０と共通電極２７０との間で電気泳動粒子３１４、３１６は、４つの互いに異なる配列状態を示すようになる。
【００７１】
第１画素領域（Ａ１）における第１電気泳動粒子３１４は、共通電極２７０と隣接するように配列されており、第２電気泳動粒子３１６は、画素電極１９０と隣接するように配列されている。従って、外部から第１画素領域（Ａ１）に向かって入射された外部光の殆どは白色を帯びる第１電気泳動粒子３１４に反射され、図４に示されるように第１画素領域（Ａ１）は最も明るい白色である第３階調画像を外部に表示する。
【００７２】
一方、第２画素領域（Ａ２）における第１及び第２電気泳動粒子３１４、３１６は、画素電極１９０と共通電極２７０との間に配列され、第１電気泳動粒子３１４の殆どは第２電気泳動粒子３１６より共通電極２７０の近くに配列されている。従って、外部から第２画素領域（Ａ２）に向かって入射された外部光の多くが白色を帯びる第１電気泳動粒子３１４によって反射され、残りわずかが黒色を帯びる第２電気泳動粒子３１６に吸収される。その結果、図４に示されるように第２画素領域（Ａ２）は、白色である第３階調より暗くて薄い灰色である第２階調画像を外部に表示する。
【００７３】
また、第３画素領域（Ａ３）における第１及び第２電気泳動粒子３１４、３１６も画素電極１９０と共通電極２７０との間に配列されるが、第２画素領域（Ａ２）とは異なり、第２電気泳動粒子３１６の殆どが第１電気泳動粒子３１４より共通電極２７０の近くに配列されている。従って、外部から第３画素領域（Ａ３）に向かって入射された外部光のうちの少量が白色を帯びる第１電気泳動粒子３１４によって反射されて、残りの多くが黒色を帯びる第２電気泳動粒子３１６に吸収される。その結果、図４に示されるように第３画素領域（Ａ３）は薄い灰色である第２階調より更に暗く濃い灰色である第１階調画像を外部に表示する。
【００７４】
最後に、第４画素領域（Ａ４）における第１電気泳動粒子３１４は、画素電極１９０と隣接するように配列されており、第２電気泳動粒子３１６は、共通電極２７０と隣接するように配列されている。従って、外部から第４画素領域（Ａ４）に向かって入射された外部光の殆どは黒色を帯びる第２電気泳動粒子３１６に吸収される。その結果、図４に示されるように第４画素領域（Ａ４）は最も暗い黒色である第０階調画像を外部に表示する。
【００７５】
各画素領域（Ａ１、Ａ２、Ａ３、Ａ４）における各電気泳動粒子３１４、３１６は、前述した４種の互いに異なる配列が全て可能である。従って、各画素領域（Ａ１、Ａ２、Ａ３、Ａ４）は、第０階調から第３階調まで４種明るさの階調表現が可能であり、この４種の階調画像の組み合わせにより、電気泳動表示装置は外部に所望の任意の画像を表示することができる。
【００７６】
以下、本発明の一実施形態による電気泳動表示装置の駆動方法を図５乃至図１５を参照して詳細に説明する。図５は、本発明の一実施形態による電気泳動表示装置の駆動方法を説明するために、４つの画素領域に位置する各電気泳動粒子に時間別に印加される駆動電圧を示した図面であり、図６及び図７は、それぞれ図５において第１時間の経過後、４つの画素領域に位置する各電気泳動粒子の挙動状態を示した断面図、及び４つの画素領域が表示する画像を示した平面図であり、図８及び図９は、それぞれ図５において第４時間の経過後、４つの画素領域に位置する各電気泳動粒子の挙動状態を示した断面図、及び４つの画素領域が表示する画像を示した平面図であり、図１０及び図１１は、それぞれ図５において第８時間の経過後、４つの画素領域に位置する各電気泳動粒子の挙動状態を示した断面図、及び４つの画素領域が表示する画像を示した平面図であり、図１２及び図１３は、それぞれ図５において第９時間の経過後、４つの画素領域に位置する各電気泳動粒子の挙動状態を示した断面図、及び４つの画素領域が表示する画像を示した平面図であり、図１４及び図１５は、それぞれ図５において第５時間の経過後、４つの画素領域に位置する各電気泳動粒子の挙動状態を示した断面図、及び４つの画素領域が表示する画像を示した平面図である。
【００７７】
図５と関連して言及される各電圧は、共通電極に印加される共通電圧から画素電極に印加されるデータ電圧を除いた値であり、それぞれ次の通り定義される。
【００７８】
初期駆動電圧（Ｖ１）は、第１電気泳動粒子３１４が分散媒３１２による流体抵抗を克服して共通電極２７０に向かって移動でき、第２電気泳動粒子３１６が分散媒３１２による流体抵抗を克服して画素電極１９０に向かって移動することができる正（＋）の電圧である。
【００７９】
第１画像表示電圧及び第１一定階調表示電圧（Ｖ２）は、第１電気泳動粒子３１４が分散媒３１２による流体抵抗を克服して画素電極１９０に向かって移動でき、第２電気泳動粒子３１６が分散媒３１２による流体抵抗を克服して共通電極２７０に向かって移動することができる負（−）の電圧である。第１画像表示電圧及び第１一定階調表示電圧（Ｖ２）は、初期駆動電圧（Ｖ１）とほぼ大きさが同じであって極性が反対であってもよい。
【００８０】
また、図５について、各種電圧（Ｖ１、Ｖ２）の各印加時間は次の通り記載されている。ここで、各印加時間は追加的なアラビア数字で表現し、小さい数字は時間の長さや順番を表しているわけではない。
【００８１】
第１時間（Ｔ１）は、第１電気泳動粒子３１４と第２電気泳動粒子３１６とが、初期駆動電圧（Ｖ１）の印加によってそれぞれ共通電極２７０と画素電極１９０とに移動して配列されるために必要な時間である。第２時間（Ｔ２）は、共通電極２７０と画素電極１９０とにそれぞれ配列されている第１電気泳動粒子３１４と第２電気泳動粒子３１６とが、第１画像表示電圧（Ｖ２）の印加によって画素電極１９０と共通電極２７０との間に移動して配列し、第１電気泳動粒子３１４の大多数が第２電気泳動粒子３１６よりも共通電極２７０に近く位置するように配列されるために必要な時間である。第２時間（Ｔ２）は、第４時間（Ｔ４）の約１/３倍に相当する長さの時間であってもよい。第３時間（Ｔ３）は、共通電極２７０と画素電極１９０とにそれぞれ配列されている第１電気泳動粒子３１４と第２電気泳動粒子３１６とが、第１画像表示電圧（Ｖ２）の印加によって画素電極１９０と共通電極２７０との間に移動して配列し、第２電気泳動粒子３１６の大多数が第１電気泳動粒子３１４よりも共通電極２７０に近く位置するように配列されるために必要な時間である。第３時間（Ｔ３）は、第４時間（Ｔ４）の約２/３倍に相当する長さの時間であってもよい。第４時間（Ｔ４）は、共通電極２７０と画素電極１９０とにそれぞれ配列されている第１電気泳動粒子３１４と第２電気泳動粒子３１６とが、第１画像表示電圧（Ｖ２）の印加によってそれぞれ画素電極１９０と共通電極２７０とに移動して配列させるために必要な時間である。第４時間（Ｔ４）は、第１時間（Ｔ１）とほぼ同一な長さの時間であってもよい。第５時間（Ｔ５）、第６時間（Ｔ６）及び第７時間（Ｔ７）は、第１電気泳動粒子３１４と第２電気泳動粒子３１６とが、第１一定階調表示電圧（Ｖ２）の印加によってそれぞれ画素電極１９０と共通電極２７０とに移動して配列されるため必要な時間である。第５時間（Ｔ５）、第６時間（Ｔ６）及び第７時間（Ｔ７）は、それぞれ第４時間（Ｔ４）、第３時間（Ｔ３）及び第２時間（Ｔ２）とほぼ同一な長さの時間である。第８時間（Ｔ８）及び第９時間（Ｔ９）は、それぞれ第７時間（Ｔ７）及び第６時間（Ｔ６）とほぼ同一な長さの時間である。
【００８２】
Ｔａ、Ｔｂ、Ｔｃは、各種電圧（Ｖ１、Ｖ２）が印加されない時間間隔である。Ｔａ、Ｔｂ、Ｔｃはそれぞれ任意であり、同一であっても異なってもよく、省略されてもよい。
【００８３】
本発明の一実施形態による電気泳動表示装置の駆動方法はまず、図５に示すように、電気泳動表示装置の第１乃至第４画素領域（Ａ１、Ａ２、Ａ３、Ａ４）がまず初期画像を表示するように第１乃至第４画素領域（Ａ１、Ａ２、Ａ３、Ａ４）に位置する各電気泳動粒子３１４、３１６に初期駆動電圧（Ｖ１）を第１時間（Ｔ１）の間印加する。
【００８４】
これにより、図６に示すように第１乃至第４画素領域（Ａ１、Ａ２、Ａ３、Ａ４）にそれぞれ位置する第１電気泳動粒子３１４は、共通電極２７０に移動して配列する。また、第２電気泳動粒子３１６は、画素電極１９０に移動して配列する。
【００８５】
このような配列によって、共通電極表示板２００を通過して入射された外部光は、白色を帯びる第１電気泳動粒子３１４によって反射される。
【００８６】
従って、図７に示すように第１乃至第４画素領域（Ａ１、Ａ２、Ａ３、Ａ４）は全て最も明るい第１色である白色の第３階調画像を外部に表示する。これにより電気泳動表示装置は、最初に初期画像である白色画像を外部に表示する。
【００８７】
次に、図５に示すように、第１時間（Ｔ１）及び所定時間（Ｔａ）経過後、電気泳動装置を通じて実際に表示しようとする画像を表示するため、第２乃至第４画素領域（Ａ２、Ａ３、Ａ４）に位置する各電気泳動粒子３１４、３１６にそれぞれ第２時間乃至第４時間（Ｔ２、Ｔ３、Ｔ４）の間、第１画像表示電圧（Ｖ２）を印加する。このとき、第１画素領域（Ａ１）には第１画像表示電圧（Ｖ２）を印加しない。
【００８８】
これにより、第１乃至第４画素領域（Ａ１、Ａ２、Ａ３、Ａ４）にそれぞれ位置する第１電気泳動粒子３１４及び第２電気泳動粒子３１６は、それぞれ図８に示すように配列する。
【００８９】
このような配列によって、図９に示すように、第１画素領域（Ａ１）は最も明るい白色である第３階調画像を外部に表示し、第２画素領域（Ａ２）は第３階調より暗い第２色である第２階調画像を外部に表示する。また、第３画素領域（Ａ３）は第２階調より更に暗い第３色である第１階調画像を外部に表示し、第４画素領域（Ａ４）は最も暗い第４色である黒色の第０階調画像を外部に表示する。
【００９０】
本実施形態において、第１乃至第４画素領域（Ａ１、Ａ２、Ａ３、Ａ４）は説明の便宜上それぞれ第３階調、第２階調、第１階調及び第０階調画像を表示すると説明した。しかしながら、実際には第１画素領域乃至第４画素領域（Ａ１、Ａ２、Ａ３、Ａ４）は、それぞれ第０階調から３階調画像のうちの任意の各階調画像を表示してもよい。従って、４つの階調画像の組み合わせにより、全体画素領域（Ａ）は必要に応じて所望の多様な各階調の白黒画像を表示することができる。
【００９１】
次に、図５に示すように、第４時間（Ｔ４）及び所定時間（Ｔｂ）経過後、第１乃至第３画素領域（Ａ１、Ａ２、Ａ３）に位置する各電気泳動粒子３１４、３１６にそれぞれ第５時間（Ｔ５）乃至第７時間（Ｔ７）の間、第１一定階調表示電圧（Ｖ２）を印加する。このとき、第４画素領域（Ａ４）には第１一定階調表示電圧（Ｖ２）を印加しない。
【００９２】
ここで、第２画素領域（Ａ２）に位置する各電気泳動粒子３１４、３１６には、所定時間（Ｔｂ）及び第８時間（Ｔ８）経過後、第６時間（Ｔ６）の間、第１一定階調表示電圧（Ｖ２）を印加することが好ましい。また、第３画素領域（Ａ３）に位置する各電気泳動粒子３１４、３１６には、所定時間（Ｔｂ）及び第９時間（Ｔ９）経過後、第７時間（Ｔ７）の間、第１一定階調表示電圧（Ｖ２）を印加することが好ましい。
【００９３】
これにより、第５時間（Ｔ５）全体のうちの第８時間（Ｔ８）の経過後、第１乃至第４画素領域（Ａ１、Ａ２、Ａ３、Ａ４）にそれぞれ位置する第１電気泳動粒子３１４及び第２電気泳動粒子３１６は、それぞれ図１０に示すように配列する。
【００９４】
このような配列によって、図１１に示すように、第１画素領域（Ａ１）及び第２画素領域（Ａ２）はそれぞれ第２階調画像を外部に表示し、第３画素領域（Ａ３）は第２階調より暗い第１階調画像を外部に表示し、第４画素領域（Ａ４）は最も暗い黒色である第０階調画像を外部に表示する。図９とは異なり、第１画素領域（Ａ１）だけが第３階調から第２階調画像に変化する。
【００９５】
一方、第９時間（Ｔ９）の経過後、第１乃至第４画素領域（Ａ１、Ａ２、Ａ３、Ａ４）にそれぞれ位置する第１電気泳動粒子３１４及び第２電気泳動粒子３１６は、それぞれ図１２に示すように配列する。
【００９６】
このような第１電気泳動粒子３１４及び第２電気泳動粒子３１６の配列によって、図１３に示すように、第１画素領域（Ａ１）、第２画素領域（Ａ２）及び第３画素領域（Ａ３）はそれぞれ第１階調画像を外部に表示し、第４画素領域（Ａ４）は最も暗い黒色である第０階調画像を外部に表示する。図１１とは異なり、第１画素領域（Ａ１）及び第２画素領域（Ａ２）がそれぞれ第２階調画像から第１階調画像に変化する。
【００９７】
一方、第５時間（Ｔ５）全時間の経過後、第１乃至第４画素領域（Ａ１、Ａ２、Ａ３、Ａ４）にそれぞれ位置する第１電気泳動粒子３１４及び第２電気泳動粒子３１６は、それぞれ図１４に示すように配列する。
【００９８】
このような配列によって、図１５に示すように、第１乃至第４画素領域（Ａ１、Ａ２、Ａ３、Ａ４）は、全て黒色である同一な第０階調画像を外部に表示する。図１３とは異なり、第１画素領域（Ａ１）乃至第３画素領域（Ａ３）がそれぞれ第１階調画像から第０階調画像に変化する。
【００９９】
このように第５時間（Ｔ５）のうち第８時間（Ｔ８）の経過後、第６時間（Ｔ６）の間、第２画素領域（Ａ２）に位置する電気泳動粒子３１４、３１６に第１一定階調表示電圧（Ｖ２）を印加し、第５時間（Ｔ５）のうち第９時間（Ｔ９）の経過後、第７時間の間、第３画素領域（Ａ３）に位置する電気泳動粒子３１４、３１６に第１一定階調表示電圧（Ｖ２）を印加すると、図１１、図１３及び図１５に示すように第１画素領域（Ａ１）乃至第３画素領域（Ａ３）が徐々に黒色である第０階調画像まで柔らかに変化して視聴者の目に負担を与えない。
【０１００】
また、以上のように上記の駆動過程を経れば、各画素領域（Ａ１、Ａ２、Ａ３、Ａ４）に位置する電気泳動粒子３１４、３１６には正の初期駆動電圧が印加される時間の長さの合計と負の駆動電圧が印加される時間の長さ合計とが同じになる。従って、各画素領域（Ａ１、Ａ２、Ａ３、Ａ４）の各画素電極１９０に蓄積された正又は負電荷が除去されることにより、各画素電極１９０はリフレッシュされて残像の発生が防止される。
【０１０１】
一方、次に所望の画像の表現及び残像防止のためには、所定時間（Ｔｃ）の経過後、再び上記の駆動過程を繰り返す。
【０１０２】
本発明の一実施形態による電気泳動表示装置の駆動方法をもう一度要約して説明する。駆動時間別に図５を参照すると、本発明の一実施形態による電気泳動表示装置の駆動方法は、各画素領域（Ａ）に位置する電気泳動粒子３１４、３１６に初期駆動電圧（Ｖ１）を印加する時間（Ｔ１）と、初期駆動電圧（Ｖ１）を印加する時間（Ｔ１）の経過後、電気泳動粒子３１４、３１６に第１画像表示電圧（Ｖ２）を印加する時間（Ｔ２、Ｔ３、Ｔ４）と、そして第１画像表示電圧（Ｖ２）を印加する時間の（Ｔ２、Ｔ３、Ｔ４）経過後、電気泳動粒子３１４、３１６に第１同一階調表示電圧（Ｖ２）を印加する時間（Ｔ５、Ｔ６、Ｔ７）とを含む。
【０１０３】
ここで、第１画像表示電圧（Ｖ２）と第１一定階調表示電圧（Ｖ２）とは同一の大きさと同一の極性を有する。初期駆動電圧（Ｖ１）は、第１画像表示電圧（Ｖ２）及び第１一定階調表示電圧（Ｖ２）と同じ大きさを有し、極性が反対である。従って、初期駆動電圧（Ｖ１）をその印加時間について積分した値が第１画像表示電圧（Ｖ２）及び第１一定階調表示電圧（Ｖ２）をそれぞれの印加時間について積分した値の合計と実質的に同一になり、各画素領域（Ａ）の画素電極１９０はリフレッシュされる。
【０１０４】
初期駆動電圧（Ｖ１）をその印加時間について積分した値が第１画像表示電圧（Ｖ２）及び第１同一階調表示電圧（Ｖ２）をそれぞれの印加時間について積分した値の合計と実質的に同一な条件下ならば、各電圧（Ｖ１、Ｖ２）及び各電圧（Ｖ１、Ｖ２）の印加時間は、本実施形態と異なってもよい。
【０１０５】
従来の電気泳動表示装置の駆動方法は、駆動電圧が１つの画素領域に所定の時間印加され、続けて極性が反転された同じ値の駆動電圧が前記所定の時間と同じ時間同じ画素領域に印加される。
【０１０６】
しかし、このような従来の電気泳動表示装置の駆動方法によれば、実際画像の表示後、実際画像の反転画像が所定時間の間視聴者に認識されるため、表示品質を低下する問題点があった。
【０１０７】
本発明の一実施形態によれば、第１時間と同一な長さの時間中に第１画素領域（Ａ１）内の電気泳動粒子３１４、３１６に第１画像表示電圧（Ｖ２）を印加し、第２乃至第４時間（Ｔ２、Ｔ３、Ｔ４）と同一な長さの時間中にそれぞれ第２乃至第４画素領域（Ａ２、Ａ３、Ａ４）に位置する各電気泳動粒子３１４、３１６に反転駆動電圧（Ｖ１と極性及び大きさが同じ電圧）を印加して反転画像を表示する。そして最終的に第２乃至第４画素領域（Ａ２、Ａ３、Ａ４）の各電気泳動粒子３１４、３１６にそれぞれ第４時間（Ｔ４）と同じ長さの時間中に所定駆動電圧（Ｖ２と極性及び大きさが同じ電圧）を印加して第１乃至第４画素領域（Ａ１、Ａ２、Ａ３、Ａ４）が全て黒色である第０階調画像を表示する。
【０１０８】
このような駆動過程を経ると、各画素領域（Ａ１、Ａ２、Ａ３、Ａ４）の電気泳動粒子３１４、３１６に正の駆動電圧が印加される時間の長さと負の駆動電圧が印加される時間の長さとが同じになる。これによって、各画素電極１９０に蓄積された正又は負電荷は除去されて、画素電極１９０がリフレッシュされるため、残像の発生が防止される。
【０１０９】
さらに、本発明の一実施形態による電気泳動表示装置の駆動方法によれば、反転駆動電圧の印加による反転画像を表示せず図１１、図１３及び図１５に示すように第１画素領域（Ａ１）乃至第３画素領域（Ａ３）が順次に徐々に黒色である第０階調画像にスムーズに変化するため、視聴者に目に負担を与えないと同時に残像の発生を防止でき、電気泳動表示装置の表示性能を向上することができる。
【０１１０】
第４時間（Ｔ４）経過後、第１画素領域乃至第４画素領域（Ａ１、Ａ２、Ａ３、Ａ４）がそれぞれ第０階調から第３階調のうちの任意の階調画像を表示する場合に、その次の段階の駆動過程は各階調を表現する各画素領域（Ａ１、Ａ２、Ａ３、Ａ４）に対する前述の駆動方法によって行われる。
【０１１１】
以下、本発明の他の実施形態による電気泳動表示装置の駆動方法について、図１６乃至図２４を参照して詳細に説明する。
【０１１２】
図１６は、本発明の他の実施形態による電気泳動表示装置の駆動方法を説明するために４つの画素領域に位置する各電気泳動粒子に時間別に印加される駆動電圧を示した図面であり、図１７及び図１８はそれぞれ図１６の第１０時間経過後、４つの画素領域に位置する各電気泳動粒子の挙動状態を示した断面図及び４つの画素領域を表示する画像を示した平面図であり、図１９及び図２０はそれぞれ図１６の第１６時間経過後、４つの画素領域に位置する各電気泳動粒子の挙動状態を示した断面図及び４つの画素領域が表示する画像を示した平面図であり、図２１及び図２２は図１６の第１７時間経過後、４つの画素領域に位置する各電気泳動粒子の挙動状態を示した断面図及び４つの画素領域が表示する画像を示した平面図であり、図２３及び図２４はそれぞれ図１６の第１５時間経過後、４つの画素領域に位置する各電気泳動粒子の挙動状態を示した断面図及び４つの画素領域が表示する画像を示した平面図である。
【０１１３】
図１６と関連して言及する各電圧は、共通電極に印加される共通電圧から画素電極に印加されるデータ電圧を除いた値を意味し、それぞれ次の通り定義される。
【０１１４】
第２画像表示電圧及び第２一定階調表示電圧（Ｖ１）は、第１電気泳動粒子３１４を分散媒３１２による流体抵抗を克服して共通電極２７０に向かって移動させることができ、第２電気泳動粒子３１６を分散媒３１２による流体抵抗を克服して画素電極１９０に向かって移動させることができる。第２画像表示電圧及び第２一定階調電圧は、初期駆動電圧（Ｖ１）と大きさが実質的に同一な正（＋）の電圧である。
【０１１５】
補償電圧（Ｖ２）は、第１電気泳動粒子３１４を分散媒３１２による流体抵抗を克服して画素電極１９０に向かって移動させることができ、第２電気泳動粒子３１６を分散媒３１２による流体抵抗を克服して共通電極２７０に向かって移動させることができる。補償電圧は、第２画像表示電圧及び第２一定階調表示電圧（Ｖ１）と実質的に大きさが同じで極性が反対である負（−）の電圧である。
【０１１６】
図１６と関連して各種電圧（Ｖ１、Ｖ２）の各印加時間は次の通り定義される。ここで各種印加時間は、追加的なアラビア数字で示され、その数字は時間の長さや順番を表しているわけではない。
【０１１７】
第１０時間（Ｔ１０）は、画素電極１９０及び共通電極２７０にそれぞれ移動して配列している第１電気泳動粒子３１４及び第２電気泳動粒子３１６が第２画像表示電圧（Ｖ１）の印加によって共通電極２７０と画素電極１９０とにそれぞれ移動して配列するために必要な時間であり、第１時間（Ｔ１）と実質的に同じ長さの時間である。第１１時間（Ｔ１１）は、画素電極１９０及び共通電極２７０にそれぞれ移動して配列している第１電気泳動粒子３１４及び第２電気泳動粒子３１６が第２画像表示電圧（Ｖ１）の印加によって画素電極１９０と共通電極２７０との間に移動して配列し、第１電気泳動粒子３１４の大多数が第２電気泳動粒子３１６より共通電極２７０に近く位置するように配列するために必要な時間であり、第１０時間（Ｔ１０）の約２/３倍に相当する長さの時間である。第１２時間（Ｔ１２）は、画素電極１９０及び共通電極２７０にそれぞれ移動して配列している第１電気泳動粒子３１４及び第２電気泳動粒子３１６が第２画像表示電圧（Ｖ１）の印加によって画素電極１９０と共通電極２７０との間に移動して配列し、第２電気泳動粒子３１６の大多数が第１電気泳動粒子３１４より共通電極２７０に近く位置するように配列するために必要な時間であり、第１０時間（Ｔ１０）の約１/３倍に相当する長さの時間である。第１３時間（Ｔ１３）、第１４時間（Ｔ１４）及び第１５時間（Ｔ１５）は、第１電気泳動粒子３１４と第２電気泳動粒子３１６とが第２一定階調表示電圧（Ｖ１）の印加によってそれぞれ共通電極２７０と画素電極１９０とに移動して配列するために必要な時間であり、それぞれ第１２時間（Ｔ１２）、第１１時間（Ｔ１１）及び第１０時間（Ｔ１０）と実質的に同じ長さの時間である。第１６時間（Ｔ１６）及び第１７時間（Ｔ１７）は、それぞれ第１３時間（Ｔ１３）及び第１４時間（Ｔ１４）と実質的に同じ長さの時間である。第１８時間（Ｔ１８）は、共通電極２７０及び画素電極１９０にそれぞれ配列されている第１電気泳動粒子３１４及び第２電気泳動粒子３１６が補償電圧（Ｖ２）の印加によってそれぞれ画素電極１９０と共通電極２７０とに移動して配列するために必要な時間であり、第１０時間（Ｔ１０）と実質的に同じ長さの時間である。
【０１１８】
Ｔｄ、Ｔｅ、Ｔｆは、各種電圧（Ｖ１、Ｖ２）が印加されない時間間隔であり、その時間間隔はそれぞれ任意であり、同一であっても又は異なってもよく、省略されてもよい。
【０１１９】
図１６に示す本発明の他の実施形態による電気泳動表示装置の駆動方法は、図５に示す本発明の一実施形態による電気泳動表示装置の駆動方法と第５時間（Ｔ５）まではその駆動方法が同一である。
【０１２０】
しかしながら、第５時間（Ｔ５）及び所定時間（Ｔｃ）経過後には、実際に電気泳動装置を通じて表示しようとする他の画像を表示するために、第１乃至第３画素領域（Ａ１、Ａ２、Ａ３）に位置する各電気泳動粒子３１４、３１６にそれぞれ第１０時間乃至第１２時間（Ｔ１０、Ｔ１１、Ｔ１２）第２画像表示電圧（Ｖ１）を印加する。しかしながら、このとき、第４画素領域（Ａ４）には第２画像表示電圧（Ｖ１）を印加しない。
【０１２１】
これにより、第１乃至第４画素領域（Ａ１、Ａ２、Ａ３、Ａ４）にそれぞれ位置する第１電気泳動粒子３１４及び第２電気泳動粒子３１６は、それぞれ図１７に示すように配列する。
【０１２２】
このような配列によって、図１８に示すように、第１画素領域（Ａ１）は最も明るい白色である第３階調画像を外部に表示し、第２画素領域（Ａ２）は第３階調より暗い第２階調画像を外部に表示する。また、第３画素領域（Ａ３）は第２階調より暗い第１階調画像を外部に表示し、第４画素領域（Ａ４）は最も暗い黒色である第０階調画像を外部に表示する。
【０１２３】
本実施形態において、第１乃至第４画素領域（Ａ１、Ａ２、Ａ３、Ａ４）は説明の便宜上それぞれ第３階調、第２階調、第１階調及び第０階調画像を表示すると説明した。しかしながら、実際に第１画素領域乃至第４画素領域（Ａ１、Ａ２、Ａ３、Ａ４）は、それぞれ第０階調から第３階調画像のうちの任意の階調画像を表示してもよい。従って、全体画素領域（Ａ）は、４つの階調画像の組み合わせにより、必要に応じて所望の階調の画像を表示することができる。
【０１２４】
この後、所定時間（Ｔｄ）経過後、第２乃至第４画素領域（Ａ２、Ａ３、Ａ４）に位置する各電気泳動粒子３１４、３１６にそれぞれ第１３乃至第１５時間（Ｔ１３、Ｔ１４、Ｔ１５）に第２一定階調表示電圧（Ｖ１）を印加する。このとき、第１画素領域（Ａ１）には第２一定階調表示電圧（Ｖ１）を印加しない。
【０１２５】
ここで、第２画素領域（Ａ２）に位置する各電気泳動粒子３１４、３１６には所定時間（Ｔｂ）及び第１７時間（Ｔ１７）経過後、第１３時間（Ｔ１３）に第２一定階調表示電圧（Ｖ１）を印加することが好ましい。また、第３画素領域（Ａ３）に位置する各電気泳動粒子３１４、３１６には所定時間（Ｔｂ）及び第１６時間（Ｔ１６）経過後、第１４時間（Ｔ１４）に第２一定階調表示電圧（Ｖ１）を印加することが好ましい。
【０１２６】
これにより、第１５時間（Ｔ１５）全体のうちの第１６時間（Ｔ１６）経過後、第１乃至第４画素領域（Ａ１、Ａ２、Ａ３、Ａ４）にそれぞれ位置する第１電気泳動粒子３１４及び第２電気泳動粒子３１６は、図１９に示すように配列する。
【０１２７】
このような配列によって、図２０に示すように第１画素領域（Ａ１）は第３階調画像を表示し、第２画素領域（Ａ２）は第２階調画像を外部に表示する。また、第３画素領域（Ａ３）及び第４画素領域（Ａ４）は、第１階調画像を外部に表示する。つまり、図１８とは異なり、第４画素領域（Ａ４）だけが第０階調から第１階調画像に変化する。
【０１２８】
一方、第１７時間（Ｔ１７）経過後、第１乃至第４画素領域（Ａ１、Ａ２、Ａ３、Ａ４）にそれぞれ位置する第１電気泳動粒子３１４及び第２電気泳動粒子３１６は、図２１に示すように配列する。
【０１２９】
このような配列によって、図２２に示すように第１画素領域（Ａ１）は、第３階調画像を外部に表示する。また、第２画素領域（Ａ２）、第３画素領域（Ａ３）及び第４画素領域（Ａ４）はそれぞれ第２階調画像を外部に表示する。つまり、図２０とは異なり、第３画素領域（Ａ３）及び第４画素領域（Ａ４）がそれぞれ第１階調から第２階調画像に変化する。
【０１３０】
第１５時間（Ｔ１５）全時間経過後、第１乃至第４画素領域（Ａ１、Ａ２、Ａ３、Ａ４）にそれぞれ位置する第１電気泳動粒子３１４及び第２電気泳動粒子３１６は、それぞれ図２３に示すように配列する。
【０１３１】
このような配列によって、図２４に示すように第１乃至第４画素領域（Ａ１、Ａ２、Ａ３、Ａ４）は全て白色である第３階調画像を外部に表示する。つまり、図２２とは異なり、第２画素領域乃至第４画素領域（Ａ２、Ａ３、Ａ４）はそれぞれ第２階調から第３階調画像に変化する。
【０１３２】
このように第３画素領域（Ａ３）に位置する各電気泳動粒子３１４、３１６に第１６時間（Ｔ１６）経過後、第１４時間（Ｔ１４）に第２一定階調表示電圧（Ｖ１）を印加して、第２画素領域（Ａ２）に位置する各電気泳動粒子３１４、３１６に第１７時間（Ｔ１７）経過後、第１３時間（Ｔ１３）に第２一定階調表示電圧（Ｖ１）を印加すれば、図２０、図２２及び図２４に示すように第２画素領域乃至第４画素領域（Ａ２、Ａ３、Ａ４）が徐々に白色である第３階調画像にスムーズに変化して視聴者の目に負担を与えない。
【０１３３】
次に、図１６に示すように所定時間（Ｔｅ）経過後、第１乃至第４画素領域（Ａ１、Ａ２、Ａ３、Ａ４）に位置する各電気泳動粒子３１４、３１６にそれぞれ第１８時間（Ｔ１８）に補償電圧（Ｖ２）を印加する。これにより第１乃至第４画素領域（Ａ１、Ａ２、Ａ３、Ａ４）内の各電気泳動粒子３１４、３１６は、図１４と同一な配列状態を示す。
【０１３４】
このような配列によって第１乃至第４画素領域（Ａ１、Ａ２、Ａ３、Ａ４）は、図１５と同じように全て黒色である第０階調画像を外部に表示する。
【０１３５】
以上のように、前記の駆動過程を経ると、各画素領域（Ａ１、Ａ２、Ａ３、Ａ４）の電気泳動粒子３１４、３１６は、正の駆動電圧が印加される総時間と負の駆動電圧が印加される総時間の長さが同じになる。従って、各画素電極１９０に蓄積された正又は負電荷は除去されて、各画素電極１９０はリフレッシュされるため、残像の発生が防止される。
【０１３６】
次の所望の画像を表示しながら、残像を防止するためには、所定時間（Ｔｆ）経過後、前記実施形態による駆動過程を繰り返せばよい。
【０１３７】
本発明の他の実施形態による電気泳動表示装置の駆動方法をもう一度要約して説明する。本発明の他の実施形態による電気泳動表示装置の駆動方法は、駆動時間別に図１６を参照すると、本発明の一実施形態による電気泳動表示装置の駆動方法での第１一定階調表示電圧（Ｖ２）の印加時間経過後、各画素領域（Ａ）の電気泳動粒子３１４、３１６に第２画像表示電圧（Ｖ１）を印加する時間（Ｔ１０、Ｔ１１、Ｔ１２）、第２画像表示電圧（Ｖ１）の印加時間（Ｔ１０、Ｔ１１、Ｔ１２）経過後、電気泳動粒子３１４、３１６に第２一定階調表示電圧（Ｖ１）を印加する時間（Ｔ１３、Ｔ１４、Ｔ１５）、そして、第２一定階調表示電圧（Ｖ１）の印加時間（Ｔ１３、Ｔ１４、Ｔ１５）経過後、電気泳動粒子３１４、３１６に補償電圧（Ｖ２）を印加する時間（Ｔ１８）を更に含む。ここで第２画像表示電圧（Ｖ１）及び第２一定階調表示電圧（Ｖ１）は、初期駆動電圧（Ｖ１）と大きさ及び極性が同じであり、補償電圧（Ｖ２）とは大きさは同じであって極性が反対である。
【０１３８】
従って、第２画像表示電圧（Ｖ１）及び第２一定階調表示電圧（Ｖ１）をそれぞれの印加時間について積分した値の合計は、補償電圧（Ｖ２）をその印加時間について積分した値と実質的に同一になる。従って、各画素領域（Ａ）の画素電極１９０はリフレッシュされる。
【０１３９】
一方、本実施形態とは異なって、各電圧（Ｖ１、Ｖ２）及び各電圧（Ｖ１、Ｖ２）の印加時間は、第２画像表示電圧（Ｖ１）及び第２一定階調表示電圧（Ｖ１）をそれぞれの印加時間について積分した値が補償電圧（Ｖ２）をその印加時間について積分した値の合計と実質的に同一な条件下においては、適宜変更してもよい。
【０１４０】
以上のように本発明の他の実施形態による電気泳動表示装置の駆動方法によっても、本発明の一実施形態による電気泳動表示装置と同一な効果を得ることができる。
【０１４１】
一方、第５時間（Ｔ５）経過後、第１画素領域乃至第４画素領域（Ａ１、Ａ２、Ａ３、Ａ４）がそれぞれ第０階調から３階調のうちの任意の各階調画像を表示する場合、その次の段階の駆動過程は各階調を表現する各画素領域（Ａ１、Ａ２、Ａ３、Ａ４）に対する前記の駆動方法によって行われる。
【０１４２】
一方、本発明のいろいろな実施形態よる電気泳動装置の駆動方法とは異なり、第１画素領域乃至第４画素領域（Ａ１、Ａ２、Ａ３、Ａ４）にそれぞれ位置する電気泳動粒子３１４、３１６に第１時間（Ｔ１）に初期駆動電圧（Ｖ１）を印加する代わりに大きさが同じであって極性が反対である初期駆動電圧を印加し、初期画像を白色でない黒色である第０階調画像で表示してもよい。
【０１４３】
この場合、各時間別に印加される各種駆動電圧（Ｖ１、Ｖ２）はそれぞれ大きさが同じであって極性が反対である電圧で代替すればよい。
【０１４４】
以下、本発明の他の実施形態による電気泳動表示装置の駆動方法を図５及び図１６を参照して説明する。
【０１４５】
本発明の他の実施形態による電気泳動表示装置の駆動方法は、本発明の前記実施形態とは異なり、初期駆動電圧（Ｖ１）の印加することなしに図５に示す第１画像表示電圧（Ｖ２）の印加を行い、第１画像表示電圧（Ｖ２）の印加後、第１一定階調表示電圧（Ｖ２）の印加を行い、第１一定階調表示電圧（Ｖ２）印加後、図１６に示す第２画像表示電圧（Ｖ１）の印加を行い、そして第２画像表示電圧印加（Ｖ１）印加後、第２一定階調表示電圧（Ｖ１）の印加が行われる。
【０１４６】
ここで、第１画像表示電圧（Ｖ２）及び第１一定階調表示電圧（Ｖ２）をそれぞれの印加時間について積分した値の合計は、第２画像表示電圧（Ｖ１）及び第２一定階調表示電圧（Ｖ１）をそれぞれの印加時間について積分した値の合計と実質的に同じである。
【０１４７】
一方、本実施形態とは異なり、各電圧（Ｖ１、Ｖ２）及び各電圧（Ｖ１、Ｖ２）の印加時間は、第１画像表示電圧（Ｖ２）及び第１一定階調表示電圧（Ｖ２）をそれぞれの印加時間について積分した値の合計が第２画像表示電圧（Ｖ１）及び第２一定階調表示電圧（Ｖ１）をそれぞれの印加時間について積分した値の合計と実質的に同一な条件下において、適宜変更されてもよい。
【０１４８】
従って、本発明のさらに他の実施形態による電気泳動表示装置の駆動方法によっても各画素領域（Ａ）の画素電極１９０はリフレッシュされて本発明の前記実施形態と同一の効果を得ることができる。
【０１４９】
また、本発明のいろいろな実施形態による電気泳動装置の駆動方法は第０階調から第３階調まで４階調の画像の表現が可能であると説明したが、各電圧（Ｖ１、Ｖ２）の大きさ及び印加時間を更に細分化することによって、その以上の階調表現も可能である。
【０１５０】
一方、電気泳動表示装置の電気泳動部材３００は、黒色を帯びる分散媒３１２及び白色を帯びる電気泳動粒子３１４のみで構成されてもよく、本発明の実施形態と同一の駆動方法によって同一な効果を得ることができる。
【０１５１】
また、電気泳動表示装置が多様なカラー画像を表現できるように、電気泳動部材３００の第１電気泳動粒子３１４が白色の代わりに赤色、緑色、青色のうちの何れか一つの色を帯びてもよく、赤色を帯びた第１の電気泳動粒子３１４、緑色を帯びた第１の電気泳動粒子３１４及び青色を帯びた電気泳動粒子３１４は、一つの画素領域内にそれぞれ順に配置されてもよい。この場合、各画素領域（Ａ）において、それぞれ赤色、緑色、青色のうちの何れか一つの色を帯びる第１電気泳動粒子３１４が黒色を帯びる第２電気泳動粒子３１６と一緒に分散媒３１２に分散されてもよい。一方、第１電気泳動粒子３１４は赤色、緑色、青色のうちの何れか一つの色の代わりに黄色、マゼンタ、シアンのうちの何れか一つの色を帯びてもよい。
【０１５２】
第１電気泳動粒子３１４が赤色、緑色、青色のうちの何れか一つの色又は黄色、マゼンタ、シアンのうちの何れか一つの色を帯びる場合でも、各種カラー表現が可能でありながらも前記実施形態と同一な効果を得ることができる。
【０１５３】
以上、本発明の好ましい実施形態について説明したが、本発明の権利範囲はこれに限定されるものではなく、特許請求の範囲と発明の詳細な説明及び図面の範囲内で多様に変形して実施するのが可能であり、これもまた本発明の範囲に属することは当然である。
【図面の簡単な説明】
【０１５４】
【図１】本発明の一実施形態による電気泳動表示装置の駆動方法によって駆動される電気泳動表示装置の構造を示した配置図である。
【図２】図１の電気泳動表示装置をＩＩ−ＩＩ線に沿って切断した断面図である。
【図３】４つの画素領域がそれぞれ画像を表示する方法を説明するため図１の電気泳動表示装置をＩＩＩ−ＩＩＩ線に沿って切断した断面図である。
【図４】図３の電気泳動表示装置の４つの画素領域を表示する画像を示した平面図である。
【図５】本発明の一実施形態による電気泳動表示装置の駆動方法を説明するため４つの画素領域に位置する各電気泳動粒子に時間別に印加される駆動電圧を示した図面である。
【図６】図５の第１時間経過後、４つの画素領域に位置する各電気泳動粒子の挙動状態を示した断面図である。
【図７】図５の第１時間経過後、４つの画素領域を表示する画像を示した平面図である。
【図８】図５の第４時間経過後、４つの画素領域に位置する各電気泳動粒子の挙動状態を示した断面図である。
【図９】図５の第４時間経過後、４つの画素領域を表示する画像を示した平面図である。
【図１０】図５の第８時間経過後、４つの画素領域に位置する各電気泳動粒子の挙動状態を示した断面図である。
【図１１】図５の第８時間経過後、４つの画素領域を表示する画像を示した平面図である。
【図１２】図５の第９時間経過後、４つの画素領域に位置する各電気泳動粒子の挙動状態を示した断面図である。
【図１３】図５の第９時間経過後、４つの画素領域を表示する画像を示した平面図である。
【図１４】図５の第５時間経過後、４つの画素領域に位置する各電気泳動粒子の挙動状態を示した断面図である。
【図１５】図５の第５時間経過後、４つの画素領域を表示する画像を示した平面図である。
【図１６】本発明の他の実施形態による電気泳動表示装置の駆動方法を説明するため４つの画素領域に位置する各電気泳動粒子に時間別に印加される駆動電圧を示した図面である。
【図１７】図１６の第１０時間経過後、４つの画素領域に位置する各電気泳動粒子の挙動状態を示した断面図である。
【図１８】図１６の第１０時間経過後、４つの画素領域を表示する画像を示した平面図である。
【図１９】図１６の第１６時間経過後、４つの画素領域に位置する各電気泳動粒子の挙動状態を示した断面図である。
【図２０】図１６の第１６時間経過後、４つの画素領域を表示する画像を示した平面図である。
【図２１】図１６の第１７時間経過後、４つの画素領域に位置する各電気泳動粒子の挙動状態を示した断面図である。
【図２２】図１６の第１７時間経過後、４つの画素領域を表示する画像を示した平面図である。
【図２３】図１６の第１５時間経過後、４つの画素領域に位置する各電気泳動粒子の挙動状態を示した断面図である。
【図２４】図１６の第１５時間経過後、４つの画素領域を表示する画像を示した平面図である。
【符号の説明】
【０１５５】
１００  薄膜トランジスタ表示板
１１０  絶縁基板
１２１  ゲート線
１２４  ゲート電極
１２９  ゲート線の端部
１４０  ゲート絶縁膜
１５１  線状半導体層
１６１  線状オーミックコンタクト部材
１７１  データ線
１７３  ソース電極
１７５  ドレイン電極
１７９  データ線の端部
１８０  保護膜
１８１、１８２、１８５  コンタクトホール
１９０  画素電極
１９５  隔壁
２００  共通電極表示板
２１０  絶縁基板
２７０  共通電極
３００  電気泳動部材
３１２  分散媒
３１４、３１６  電気泳動粒子
【図１】
2008146065.tif 000003
【図２】
2008146065.tif 000004
【図３】
2008146065.tif 000005
【図６】
2008146065.tif 000006
【図７】
2008146065.tif 000007
【図８】
2008146065.tif 000008
【図１０】
2008146065.tif 000009
【図１２】
2008146065.tif 000010
【図１４】
2008146065.tif 000011
【図１５】
2008146065.tif 000012
【図１６】
2008146065.tif 000013
【図１７】
2008146065.tif 000014
【図１９】
2008146065.tif 000015
【図２１】
2008146065.tif 000016
【図２３】
2008146065.tif 000017
【図２４】
2008146065.tif 000018
【図４】
2008146065.tif 000019
【図５】
2008146065.tif 000020
【図９】
2008146065.tif 000021
【図１１】
2008146065.tif 000022
【図１３】
2008146065.tif 000023
【図１８】
2008146065.tif 000024
【図２０】
2008146065.tif 000025
【図２２】
2008146065.tif 000026